(57)【要約】【課題】  平面計画上の自由度および居住性に優れた大スパンを有し、施工の合理化および工費の縮減も図れる集合住宅の架構構造を提供する。【解決手段】  対象とする建物は、建物平面の中央部に吹抜部２を配置し、吹抜部２の周囲に住戸９…を配置した平面形状が概ね六角形の筒状の集合住宅１である。集合住宅１の北西および北東側の低層部には、立体式駐車装置１０…が備えられており、１階の吹抜部２が車廻しのスペースとなっている。集合住宅１の内周側および外周側には、周方向の柱幅がその直交方向の柱幅に比べて大きな扁平柱５…と扁平柱５、５同士を繋ぐ繋ぎ梁７…からなる内周架構３および外周架構４がそれぞれ設置されている。内周架構３の扁平柱５と外周架構４の扁平柱５とは、梁幅が梁成に比べて大きな中間部を有する扁平梁６によって結合されている。扁平梁６、６間には、ハーフプレキャストスラブが設置され、床スラブ８を形成している。【選択図】      図１
2005226348.tif 000002
【特許請求の範囲】
【請求項１】
建物平面の中央部に吹抜部を配置し、当該吹抜部を囲繞するように住戸群を配置した集合住宅の架構構造であって、
前記吹抜部の周囲に、周方向の柱幅がその直交方向の柱幅に比べて大きな扁平柱と当該扁平柱同士を繋ぐ繋ぎ梁とからなる内周架構および外周架構を備え、前記内周架構の扁平柱と前記外周架構の扁平柱は、梁幅が梁成に比べて大きな中間部を有する扁平梁によって結合されていることを特徴とする集合住宅の架構構造。
【請求項２】
前記扁平梁は、前記扁平梁の中心軸より下方に鉄骨の材軸が偏心する鉄骨コンクリート梁または鉄骨鉄筋コンクリート梁であることを特徴とする請求項１に記載の集合住宅の架構構造。
【請求項３】
前記扁平梁は、前記扁平梁の材軸方向にＰＣ鋼材を備え、前記扁平梁の材軸方向にプレストレスが導入されたプレストレスト鉄筋コンクリート梁であることを特徴とする請求項１に記載の集合住宅の架構構造。
【請求項４】
前記扁平梁間に一方向スラブが配置された床スラブを備えることを特徴とする請求項１乃至３のいずれかに記載の集合住宅の架構構造。
【請求項５】
地上から所定階まで、北西側の前記住戸群に代えて、立体式駐車装置を備えることを特徴とする請求項１乃至４のいずれかに記載の集合住宅の架構構造。
【発明の詳細な説明】
【技術分野】
【０００１】
本発明は、集合住宅の架構構造に関し、特に、高層または超高層集合住宅の架構構造に関する。
【背景技術】
【０００２】
高層または超高層集合住宅の平面計画では、建物の中央部にコア部（エレベーターや階段等の共用部分）あるいは吹抜部を配置することがよく行われる。このような高層または超高層集合住宅では、従来より、架構構造としてラーメン構造やダブルチューブ構造などが用いられる。しかし、ラーメン構造とした場合、６ｍ前後のスパンで格子状に柱および梁が配置されるため、平面計画上の制約が多くなるという問題がある。一方、ダブルチューブ構造は、ラーメン構造に比べて大きなスパンを実現できるが、ダブルチューブ構造を構成する建物の外周部および内周部の柱数が多くなり、建築・設備計画上制約が多くなるという問題がある。また、ダブルチューブ構造では、柱および梁の断面が大きくなるという問題もある。
そこで、特許文献１では、建物中央部と建物外周部との間に形成される床スラブを、建物中央部の角部と建物外周部の辺部とを連結する梁部材によって角部ブロックと中間部ブロックに区画し、角部ブロックの住戸ゾーンを無柱・無梁とする集合住宅の発明が開示されている。そして、特許文献１に記載の発明によれば、柱数が減少するため、特に建物角部における住戸配置、間取り等のプランニングの自由度が向上する。
【特許文献１】特開２００２−１８０６７９号公報  （第２−４頁、第２図）
【発明の開示】
【発明が解決しようとする課題】
【０００３】
しかしながら、特許文献１に記載の発明においても従来のダブルチューブ構造と同様に、柱および梁の断面が大きくなるという問題は解決されていない。しかも、特許文献１に記載の発明では、大スパン床スラブとなるため、スラブ厚を大きくしなければならないうえ、スラブにプレストレスを導入しなければならず、施工に手間がかかり、コストアップが避けられないという問題もある。
本発明は、上述する問題点に鑑みてなされたもので、平面計画上の自由度および居住性に優れた大スパンを有し、施工の合理化および工費の縮減も図れる集合住宅の架構構造を提供することを目的とする。
【課題を解決するための手段】
【０００４】
上記目的を達成するため、本発明に係る集合住宅の架構構造では、建物平面の中央部に吹抜部を配置し、当該吹抜部を囲繞するように住戸群を配置した集合住宅の架構構造であって、前記吹抜部の周囲に、周方向の柱幅がその直交方向の柱幅に比べて大きな扁平柱と当該扁平柱同士を繋ぐ繋ぎ梁とからなる内周架構および外周架構を備え、前記内周架構の扁平柱と前記外周架構の扁平柱は、梁幅が梁成に比べて大きな中間部を有する扁平梁によって結合されていることを特徴とする。
本発明では、吹抜部の周囲に住戸群を配置しているため、南面性を重視した平面計画ができる。
さらに、本発明では、吹抜部の周囲に、扁平柱と繋ぎ梁とからなる内周架構および外周架構を備え、内周架構の扁平柱と外周架構の扁平柱とを扁平梁によって結合することにより、柱や梁の数が少なくなり、間口を大きくとることができる。また、扁平柱を使用しているため、室内に柱型がでない。その結果、平面計画上の自由度および居住性が向上する。
加えて、本発明では、柱の本数が少ないため、杭基礎とした場合、杭本数が削減され、工費の縮減が図れる。
【０００５】
また、本発明に係る集合住宅の架構構造では、前記扁平梁は、前記扁平梁の中心軸より下方に鉄骨の材軸が偏心する鉄骨コンクリート梁または鉄骨鉄筋コンクリート梁であってもよい。
本発明では、扁平梁を鉄骨コンクリート梁または鉄骨鉄筋コンクリート梁とし、且つ、扁平梁の下側に鉄骨を偏心配置することにより、梁成を小さくした大スパン架構を実現することができる。
【０００６】
また、本発明に係る集合住宅の架構構造では、前記扁平梁は、前記扁平梁の材軸方向にＰＣ鋼材を備え、前記扁平梁の材軸方向にプレストレスが導入されたプレストレスト鉄筋コンクリート梁であってもよい。
本発明では、扁平梁にプレストレスを導入することによっても、梁成を小さくした大スパン架構を実現することができる。
【０００７】
また、本発明に係る集合住宅の架構構造では、前記扁平梁間に一方向スラブが配置された床スラブを備えていてもよい。
本発明では、扁平梁間にハーフプレキャストスラブやデッキスラブなどの一方向スラブを配置することにより、施工の合理化および工費の縮減を図ることができる。
【０００８】
また、本発明に係る集合住宅の架構構造では、地上から所定階まで、北西側の前記住戸群に代えて、立体式駐車装置を備えていてもよい。
本発明では、住戸として日照条件に加えて眺望のよくない北西低層部を立体式駐車装置として活用することができる。この際、吹抜部を車廻しのスペースとすることで敷地の有効活用を図ることができる。
【発明の効果】
【０００９】
本発明によれば、吹抜部の周囲に、扁平柱と繋ぎ梁とからなる内周架構および外周架構を備え、内周架構の扁平柱と外周架構の扁平柱とを扁平梁によって結合することにより、平面計画上の自由度および居住性に優れた大スパンを有し、施工の合理化および工費の縮減も図れる集合住宅の架構構造を実現することができる。
【発明を実施するための最良の形態】
【００１０】
以下、本発明に係る集合住宅の架構構造の実施形態について図面に基いて説明する。
図１は、本発明に係る集合住宅の架構構造の実施形態の一例を示す基準階床梁伏図である。
図１に示すように、対象とする建物は、建物平面の中央部に吹抜部２を配置し、吹抜部２の周囲に住戸９…を配置した平面形状が概ね六角形の筒状の集合住宅１である。日照条件のよくない集合住宅１の北側には、エレベーターや階段などの共用ゾーン１１が配置されている。また、日照条件に加えて眺望のよくない北西および北東側の低層部には、立体式駐車装置１０…が備えられており、１階の吹抜部２が車廻しのスペースとなっている。
【００１１】
集合住宅１の内周側および外周側には、周方向の柱幅がその直交方向の柱幅に比べて大きな扁平柱５…と扁平柱５、５同士を繋ぐ繋ぎ梁７…からなる内周架構３および外周架構４がそれぞれ設置されている。そして、内周架構３の扁平柱５と外周架構４の扁平柱５とは、梁幅が梁成に比べて大きな中間部を有する扁平梁６によって結合されている。
【００１２】
扁平梁６、６間には、スラブ厚の下半がプレキャスト部材であって、上半は現場打ちコンクリートにより施工されるハーフプレキャストスラブが設置され、床スラブ８を構成している。
【００１３】
図２は、扁平梁の概略構成図であり、（ａ）は立断面図、（ｂ）は梁端部の断面図、（ｃ）は梁中間部の断面図である。
図２に示すように、扁平梁６は、鉄筋コンクリート梁の断面中央部にＨ型鋼２０が埋設された鉄骨鉄筋コンクリート梁であって、扁平梁６の中間部は、梁端部に比べて梁成が小さく、梁成に比べて梁幅が大きな扁平断面となっている。
扁平梁６の端部では、扁平梁６の上端と下端にそれぞれ配筋された梁主筋２２…を拘束するようにスターラップ２３が巻かれており、扁平梁６の断面中央部にはＨ型鋼２０が埋設されている。
一方、扁平梁６の中間部は、Ｈ型鋼２０の下フランジ２０ａの外面が扁平梁６の下面から露出しており、錆止め防止用の塗料が下フランジ２０ａの外面に塗布されている。また、Ｈ型鋼２０と干渉するスターラップ２３は下側に開いており、スターラップ２３の両端はそれぞれＬ字形の定着部２３ａ、２３ａとなっている。
【００１４】
本実施形態による集合住宅の架構構造１では、吹抜部２の周囲に住戸９…を配置しているため、南面性を重視した平面計画ができる。
また、本実施形態による集合住宅の架構構造１では、吹抜部２の周囲に、扁平柱５…と繋ぎ梁７…とからなる内周架構３および外周架構４を備え、内周架構３の扁平柱５と外周架構４の扁平柱５とを扁平梁６によって結合することにより、柱や梁の数が少なくなり、間口を大きくとることができる。また、扁平柱５…を使用しているため、室内に柱型がでない。その結果、平面計画上の自由度および居住性が向上する。
さらに、本実施形態による集合住宅の架構構造１では、扁平梁６、６間に床スラブ８としてハーフプレキャストスラブを配置することにより、施工の合理化および工費の縮減を図ることができる。
加えて、本実施形態による集合住宅の架構構造１では、扁平梁６を鉄骨鉄筋コンクリート梁とし、且つ、扁平梁６の下側にＨ型鋼２０を偏心配置することにより、梁成を小さくした大スパン架構を実現することができる。
【００１５】
以上、本発明に係る集合住宅の架構構造の実施形態について説明したが、本発明は上記の実施形態に限定されるものではなく、その趣旨を逸脱しない範囲で適宜変更可能である。例えば、上記の実施形態では、扁平梁として鉄骨鉄筋コンクリート梁を使用しているが、鉄骨コンクリート梁あるいはプレストレスト鉄筋コンクリート梁を使用してもよい。また、上記の実施形態では、床スラブとしてハーフプレキャストスラブを使用しているが、デッキスラブを使用してもよい。
【図面の簡単な説明】
【００１６】
【図１】本発明に係る集合住宅の架構構造の実施形態の一例を示す基準階床梁伏図である。
【図２】扁平梁の概略構成図であり、（ａ）は立断面図、（ｂ）はＡ−Ａ矢視断面図、（ｃ）はＢ−Ｂ矢視断面図である。
【符号の説明】
【００１７】
１  集合住宅
２  吹抜部
３  内周架構
４  外周架構
５  扁平柱
６  扁平梁
７  繋ぎ梁
８  床スラブ
９  住戸
１０  立体式駐車装置
１１  共用ゾーン
２０  Ｈ型鋼
２１  コンクリート
２２  梁主筋
２３  スターラップ
【図１】
2005226348.tif 000003
【図２】
2005226348.tif 000004